(57)【要約】  本発明は、一般的な使用のための住居、家屋又は建物の中のあらゆるタイプの垂直方向又は水平方向の歩行通路に関連する部分を制御する、気候変化に適応可能な一体型耐震ドアフレーム又は地震衝撃散逸ドアフレームに関する。ドアフレームは、さまざまな幾何学形状、質量、密度及び弾性を有する複数の構成要素から構成される。構成要素は互いに接合され、一体型フレームに垂直に組み付けられた１つ以上の多方向エネルギー散逸器を含む一体型フレーム内に、エネルギー散逸器又は力緩衝器を形成する。ドアフレームは、設置時には、木材、プラスチック、鉄などのうちのいずれかで作成された他の要素のために、ドアフレームに固定する際の側壁及び頂壁の平行度の変化に適合可能である。このような他の要素は、長手方向に設置されるとフレームの幅を増加させ、必要に応じて、エネルギー散逸特性を変更することなく、壁の平行度を修正する。一体型ドアフレームに一体化された要素は、相互作用して、壁がドアに及ぼすエネルギーを散逸させ、荷重、ずれ及び変形を制御し、これにより、ドアが正常に機能する状態を維持するように管理し、その開閉障害を防止し、同時に施錠による閉じ込めを防止する。このため、震動又は地震の間及びその後、あるいはドアが環境の相対湿度の変化によって影響を受けるときに、ドアを開くことができる。
2019523840.tif 000002
【特許請求の範囲】
【請求項１】
地震衝撃を散逸させる一体型耐震ドアフレームであって、壁がドアに及ぼすずれと負荷を制御する、上枠（１）と、同一長さの２つの縦枠（２）とを具備することを特徴とする、一体型ドアフレーム。
【請求項２】
前記枠（１、２）は１つ又は複数の平行度補正要素を有することを特徴とする、請求項１に記載の一体型ドアフレーム。
【請求項３】
前記多方向エネルギー散逸器（９）は、ブッシングであって、その長手方向軸に配置されるブッシングを有することを特徴とする、請求項１に記載の一体型ドアフレーム。 
【請求項４】
前記枠（１、２）は、
前記壁に対する支持面を提供し、多角形構造支持体（８）に取り付けられたエネルギー散逸要素（７）に取り付けられる、第１の硬質プレート（６）を具備し、
１つ又は複数の多方向エネルギー散逸器（９）が前記要素（６）、（７）及び（８）に直交して組み立てられる
ことを特徴とする、請求項１に記載の一体型ドアフレーム。
【請求項５】
前記エネルギー散逸要素（７）の材料の密度は、前記要素（６）及び（８）の密度より小さいことを特徴とする、請求項１に記載の一体型ドアフレーム。
【請求項６】
前記多角形構造支持体（８）は、前記ドアへの接触領域にて９０°を上回る傾斜角度を有することを特徴とする、請求項１に記載の一体型ドアフレーム。
【請求項７】
前記枠（１、２）は、前記壁に対する支持面を提供する壁接触区域（１１）と、多角形隙間を有する負荷及びエネルギー散逸区域（１２）と、多角形構造区域（１３）とを区別することができる単一射出成形品であって、１つ又は複数の多方向エネルギー散逸器（９）の前記壁への組付けを可能とする、単一射出成形品として構成されることを特徴とする、請求項１に記載の一体型ドアフレーム。
【請求項８】
前記多角形構造区域（１３）は、前記壁に対する前記接触領域にて９０°を上回る傾斜角度を有することを特徴とする、請求項７に記載の一体型ドアフレーム。
【請求項９】
前記硬質プレート（６）は、金属、金属合金、あるいは天然ポリマー又は合成ポリマーから作成されることを特徴とする、請求項４に記載の一体型ドアフレーム。
【請求項１０】
前記エネルギー散逸要素（７）は、天然ゴム又は合成ゴム、ポリマー又はエラストマーから作成されることを特徴とする、請求項４に記載の一体型ドアフレーム。
【請求項１１】
前記多角形構造支持要素（８）は、木材、金属、金属合金、あるいは天然ポリマー又は合成ポリマーから作成されることを特徴とする、請求項４に記載の一体型ドアフレーム。
【請求項１２】
前記多方向エネルギー散逸器（９）は、天然ゴム又は合成ゴムあるいはエラストマーから作成されることを特徴とする、請求項３に記載の一体型ドアフレーム。
【請求項１３】
前記枠（１、２）は、天然ゴム又は合成ゴム、エラストマー又はポリマーから作成される単一射出成形品として構成されることを特徴とする、請求項７に記載の一体型ドアフレーム。
【発明の詳細な説明】
【技術分野】
【０００１】
本発明は、一般的な使用のための住居、家屋又は建物の中のあらゆるタイプの垂直方向又は水平方向の歩行通路に関連する部分を制御する、気候変化に適応可能な一体型耐震ドアフレーム又は地震衝撃散逸ドアフレームに関する。ドアフレームは、さまざまな幾何学形状、質量、密度及び弾性を有する複数の構成要素から構成される。構成要素は互いに接合され、一体型フレームに垂直に組み付けられた１つ以上の多方向エネルギー散逸器を含む一体型フレーム内に、エネルギー散逸器又は力緩衝器を形成する。ドアフレームは、設置時には、木材、プラスチック、鉄などのいずれかで作成された他の要素のために、ドアフレームに固定する際の側壁及び頂壁の平行度の変化に適合可能である。このような他の要素は、長手方向に設置されるとフレームの幅を増加させ、必要に応じて、エネルギー散逸特性を変更することなく、壁の平行度を修正する。
【０００２】
一体型ドアフレームに一体化された、ここに挙げた要素は、相互作用して、壁がドアに及ぼすエネルギーを散逸させ、質量差、密度差及び弾性差によって荷重、ずれ及び変形を制御し、これにより、ドアが正常に機能する状態を維持するように管理し、ドアの開閉障害を防止し、同時に施錠による閉じ込めを防止する。このため、震動又は地震の間及びその後、あるいはドアが環境の相対湿度の変化によって影響を受けるときに、ドアを開くことができる。
【背景技術】
【０００３】
今日では、フレーム及びドアに荷重を加える壁のずれに起因して、ドアが変形したり、大地の移動とともに垂直ではなくなることが頻繁に起こる。このため、施錠システム又はドア開口システムによる閉じ込め及び／又は妨害を引き起こす、逆に、ドアを開く動作が、環境の相対湿度の変化による膨張によって影響を受ける可能性がある。これは、膨張がドアのサイズに作用し、ドアの縁をいくつかの場所でフレームに押しつけることに起因する。このような場所に加えられた力は、一体型フレームを介して散逸され、ドアロックによる閉じ込め及び／又は妨害を防止する。この解決策によって有効な方法で問題が解決され、通過経路又は避難経路を使用可能な状態に維持する。
【発明の概要】
【０００４】
本発明の目的は、地震発生時にドアの開放に影響を及ぼす壁の構造的変形及びずれを制御し散逸させることと、ドアの膨張又は収縮を引き起こし、ドアをフレームに押しつける季節的な気候の変化又は環境の相対湿度の変化によるドアの閉塞を制御することである。 このため、本発明は、ユーザが住居内に閉じ込められるのを防止し、今日頻繁に起こるようにドアの動作に影響を及ぼすことはないであろう。さらに、本発明のドアフレームは、壁が互いに完全に直交していないことが多いことから、壁への固定の瞬間に壁の均一性の変動又は損失に適合させることができる。この目的のために、先に言及した機械的性質を変更することなく、一体型フレーム部品と同心に嵌合するように予め穿孔された楔のような平行度補正要素が本発明に含まれ、この要素の機能は、設置の瞬間に、このような変化を補正することである。
【０００５】
あらゆる既存の欠点を改善するために、気候変化に適応可能であり、ずれを制御する一体型ドアフレームシステムが構成されてきた。ドアフレームは、ずれを吸収し、壁がドア又はフレームに及ぼす荷重と直接接触しながら力を散逸する複数の制御された変形エネルギー散逸部を備え、ずれを制御及び吸収し、垂直方向から外れてドアが破壊されることを防止する。
【０００６】
技術の最先端に関しては、ドアの閉塞を回避するために、独立したエネルギー散逸器ではなく、硬質のエネルギー散逸システムである、チリ国特許出願番号第２０１３０２３５５号公報の耐震ドアフレームを引用することができる。このドアフレームはＸ平面とＹ平面でのみ動作し、ドアとフレームとはヒンジ式に相互作用し、動作のために複数の独立した部品を必要とする。ドアの妨害は、ドアフレームがオスとメスのＵ字状構成と中間エネルギー散逸器とに収束する複数の独立した別個の要素から構成されるため、さまざまな技術によって防止される。ドアフレームは、フレームの幾何学的形状を維持せず、異なるスパン、出入口又は設置区域を必要とし、それにより壁に介在することを必要とするという特徴を有する。この耐震ドアフレームのもう一つの特徴として、内部フレームが、エネルギー散逸システムの操作のための不可欠な要素として床と直接接触させる必要があることが挙げられる。ドアフレームは、その内部フレームが硬質で単一部品であり、壁の平行度の補正も許容しないため、気候変動にも適応できない。
【０００７】
一体型フレームの構成は、現在有効な抵抗及び破砕の要件を満たすことに留意すべきである。これは、一体型フレームが最新のフレームと同一の寸法及び形状を有することによるものであり、さらに上記したものに対して、アンカーを案内する穿孔の性質が同一であることによる。
【０００８】
このようなエネルギー散逸特性により、装置は大きな負荷の下でも動作するため、通常の条件では正常に動作する状態を維持する。
【図面の簡単な説明】
【０００９】
地震中及び地震後の妨害及び気候の影響による妨害を防止する、本発明の一体型耐震ドアフレーム又は地震衝撃散逸ドアフレームをいっそうよく理解するために、一体型耐震ドアフレーム又は地震衝撃散逸ドアフレームを、明白な形で現れる可能性のある改変を制限するか減縮することなく、図面の不可欠な部分を形成する図面に従って説明する。
【図１】壁、一体型耐震ドアフレーム、ドア及び壁平行度補正要素の相互作用の間の等角部品図又は分解図。
【図２】一体型ドアフレームの上枠と、同一長さの縦枠の等角部品図。
【図３】上枠及び上枠が備える要素の分解斜視図及び詳細斜視透視図。
【図４】縦枠及び縦枠が備える要素の分解斜視図及び詳細斜視透視図。
【図５】多方向エネルギー吸収要素と、その長手方向軸に配置されたインサート又はブッシングの分解斜視図及び詳細斜視透視図。
【図６】単一射出成形品の上枠と、その上枠が構成する区域の詳細斜視透視図。
【図７】単一射出成形品の縦枠と、その縦枠が構成する区域の詳細斜視透視図。
【図８】一体型ドアフレームの壁平行度補正要素を備える上枠及び同一長さの縦枠の詳細等角図。
【発明を実施するための形態】
【００１０】
図１〜図８は、住居、家屋又は建物のいずれかでの一体型耐震ドアフレーム又は地震衝撃散逸ドアフレームを説明する。 本発明は、互いに接合され、さまざまな幾何学的形状、質量、密度及び弾性を有する複数の要素から構成される一体型耐震ドアフレーム又は地震衝撃散逸ドアフレームに関する。ドアフレームは、区域ごとに特徴のある単一射出成形品として構成されてもよい。 ドアフレームは、壁がドアに及ぼすずれと荷重を制御する上枠（１）と同一長さの２つの縦枠（２）から構成される（図２を参照）。
【００１１】
ドアフレームでは、枠（１、２）は１つ以上の平行度補正要素を有する（図８を参照）。
【００１２】
一体型ドアフレームでは、その長手方向軸に多方向エネルギー散逸器（９）が挿入される（図５を参照）。
【００１３】
ドアフレームでは、枠（１、２）は、壁に対する支持面を提供し、エネルギー散逸要素（７）に取り付けられる第１の硬質プレート（６）を備える。次に、このエネルギー散逸要素は多角形構造支持体（８）に取り付けられる。１つ又は複数の多方向エネルギー散逸器（９）は要素（６）、（７）及び（８）に直交して組み立てられる（図３を参照）。
【００１４】
一体型ドアフレームでは、エネルギー散逸要素（７）の密度は要素（６）、（７）及び（８）の密度よりも小さい（図３を参照）。
【００１５】
一体型ドアフレームでは、多角形構造支持体（８）は、ドアとの接触領域にて９０°を上回る傾斜角を有する（図３を参照）。
【００１６】
一体型ドアフレームでは、枠（１、２）は、壁に対する支持面を提供する壁接触区域（１１）と、多角形の隙間を有する負荷及びエネルギー散逸区域（１２）と、多角形構造区域（１３）と、を区別することができる単一射出成形品として構成される。１つ以上の多方向エネルギー散逸器（９）が壁への組み立てを可能にする（図６を参照）。
【００１７】
一体型ドアフレームでは、多角形構造区域（１３）は、ドアとの接触領域にて９０°を上回る傾斜角を有する（図６を参照）。
【００１８】
一体型ドアフレームでは、硬質プレート（６）は、金属、金属合金あるいは天然ポリマー又は合成ポリマーから作成される。
【００１９】
一体型ドアフレームでは、エネルギー散逸要素（７）は、天然ゴム又は合成ゴム、ポリマー又はエラストマーから作成される。
【００２０】
一体型ドアフレームでは、多角形構造支持要素（８）は、木材、金属、金属合金あるいは天然ポリマー又は合成ポリマーから作成される。
【００２１】
一体型ドアフレームでは、多方向エネルギー散逸器（９）は天然ゴム又は合成ゴムあるいはエラストマーから作成される。
【００２２】
一体型ドアフレームでは、枠（１、２）は、天然ゴム又は合成ゴム、エラストマー又はポリマーから作成された単一射出成形品として構成される。
【００２３】
上枠（１）及び同一長さの縦枠（２）のほか、必要であれば、上枠（１）又は縦枠（２）と壁（４）との間の平行度補正要素（３）が互いに組み立てられる場合、変形を散逸し、これにより、ドア（５）の閉塞を防止することができる一体型フレーム構成が製造される（図１を参照）。
【００２４】
上枠
上枠（１）は、木材、プラスチック、鉄などの材料のいずれかから作成された第１の硬質プレート（６）によって構成される。この硬質プレートは、壁に支持面を提供し、いくつかの貫通孔を有し、その設置の要望に応じて等間隔又は不規則に離間される。第１の硬質プレート（６）は、貫通孔と同心に整列した孔を有するエネルギー散逸器（７）に取り付けられる。 次に、上枠（１）アセンブリは、木材、プラスチック、鉄などの材料のいずれかから作成され、アセンブリに剛性を提供する湾曲構成も排除しない多角形構造支持要素（８）に連続する。要素（６）、（７）及び（８）は、接着剤であり得る化学的手段、加硫のような熱化学的手段、あるいはネジ、ブッシングなどの要素のような物理的手段又は機械的手段を介して互いに物理的に結合され、そのような方法で適切なエネルギー散逸を完全に機能させるための結合を維持する。
【００２５】
さらに、上枠（１）は、要素（６）、（７）及び（８）の密度、機械的特性及び孔を等しくしてエネルギー散逸器又は力緩衝器を形成することによって、ポリマー、プラスチックなどの単一射出成型品として構成することもできる。 そのような上枠（１）は、要素（６）と同じように、壁に対する支持面を提供するように設計された第１の硬質区域（１１）と、 エネルギー散逸器（７）と同じように、応力の均一な分布を提供するように設計された多角形の幾何学的隙間の第２の区域（１２）であって、この区域によって移動の自由度が許容される第２の区域において、隙間は、地震時の荷重の方向に応じて、あるいは季節的な気候変化又はフレームに対してドアを伸縮させる相対湿度の変化のために伸縮する、第２の区域と、第３の多角形構造硬質区域（１３）であって、その形状では、多角形構造支持要素（８）と同じように、直接摩擦を低減するためにドアとの接触領域にて９０°を上回る角度を有し得るか有することのない、第３の多角形構造硬質区域と、から構成される。
【００２６】
上枠（１）は、接着剤であり得る化学的手段、あるいは加硫のような熱化学的手段を介して多角形構造支持要素（８）に物理的かつ垂直に接合されるか、さもなければ、同一直径を有し、他の孔と同心の孔を介して多角形構造硬質区域（１３）に結合される多方向エネルギー散逸器（９）を担持し、多方向エネルギー散逸器 （９）がエネルギー散逸要素（７）又は多角形の幾何学的隙間を有する第２の区域（１２）とそれぞれ接触することを可能にし、他の程度にて構造変形を散逸させるように作用することを可能にする。その結果、壁への取り付けにかかる負荷を防ぎ、多角形構造支持要素（８）又は多角形構造硬質区域（１３）が３６０°自由に移動し、Ｘ、Ｙ及びＺデカルト平面（直交座標系平面）のあらゆる組み合わせにて自由に移動するようにする。多方向エネルギー散逸器（９）は、その長手方向軸にて、上枠（１）を壁に固定することを可能にする必須の中央補強材であるブッシング（１０）を挿入し、固定具全体にわたる荷重を散逸させ、全体を硬質化しないことを可能にする（図３、図５及び図６を参照）。
【００２７】
縦枠
縦枠（２）は、木材、プラスチック、鉄などの材料のいずれかで作成された第１の硬質プレート（６）によって構成される。この硬質プレートは、壁に対する支持面を提供し、いくつかの貫通孔であって、その設置の要望に応じて等間隔又は不規則に離間される貫通孔を有する。第１の硬質プレート（６）は、貫通孔と同心に整列した孔を有するエネルギー散逸器（７）に取り付けられる。次に、上枠（１）アセンブリは、木材、プラスチック、鉄などの材料のいずれかから作成され、アセンブリに剛性を提供する湾曲構成も排除しない多角形構造支持要素（８）に連続する。要素（６）、（７）及び（８）は、接着剤であり得る化学的手段、加硫のような熱化学的手段、あるいはスクリュー、ブッシングなどの要素のような物理的手段又は機械的手段を介して互いに物理的に結合され、そのような方法で適切なエネルギー散逸を完全に機能させるための結合を維持する。  
【００２８】
さらに、縦枠（２）はこのほか、要素（６）、（７）及び（８）の密度、機械的特性及び孔を等しくして、エネルギー散逸器又は力緩衝器を形成することによって、ポリマー、プラスチックなどの材料から作成された単一射出成形品として構成することができる。そのような縦枠（２）は、要素（６）と同じように、壁に対する支持面を提供するように設計された第１の硬質区域（１１）と、 エネルギー散逸器（７）と同じように、応力の均一な分布を提供するように設計された多角形の幾何学的隙間の第２の区域（１２）であって、この区域によって移動の自由度が許容される第２の区域において、隙間は、地震時の荷重の方向に応じて、あるいは季節的な気候変化又はフレームに対してドアを伸縮させる相対湿度の変化のために伸縮する、第２の区域と、 第３の多角形構造硬質区域（１３）であって、その形状では、多角形構造支持要素（８）と同じように、直接摩擦を低減するためにドアとの接触領域にて９０°を上回る角度を有し得るか有することのない、第３の多角形構造硬質区域と、から構成される。
【００２９】
縦枠 （２）は、接着剤であり得る化学的手段、あるいは加硫のような熱化学的手段を介して多角形構造支持要素（８）に物理的かつ直交して接合されるか、さもなければ、同一直径を有し、他の孔と同心の孔を介して多角形構造硬質区域（１３）に結合される多方向エネルギー散逸器（９）を担持し、多方向エネルギー散逸器 （９）がエネルギー散逸要素（７）又は多角形の幾何学的隙間を有する第２の区域（１２）とそれぞれ接触することを可能にし、他の程度にて構造変形を散逸させるように作用することを可能にする。その結果、枠の壁への取り付けにかかる負荷を防止し、多角形構造支持要素（８）又は多角形構造硬質区域（１３）が３６０°自由に移動し、Ｘ、Ｙ及びＺデカルト平面のあらゆる組み合わせにて自由に移動するようにする。多方向エネルギー散逸器（９）は、その長手方向軸にて、縦枠 （２）を壁に固定することを可能にする必須の中央補強材であるブッシング（１０）を挿入し、固定具全体にわたる荷重を散逸させ、全体を硬質化しないことを可能にする（図４、図５及び図７を参照）。
【００３０】
平行度補正要素
壁平行度補正要素（３）は、壁と上枠（１）又は同一長さの縦枠（２）との間に設置され、木材、プラスチック、鉄などの材料から作成され得る独立要素であり、必要に応じて等間隔又は不規則に離間され、縦枠（１、２）を固定する穿孔と同心に配置される案内貫通孔を有する。これにより、壁の直立性のばらつきを補正することができ、上記の機械的特性及びエネルギー散逸特性に影響を及ぼすことなく正しい設置が可能になる。 別の特徴には、さらに大きなばらつきを補正するために、このような要素のいくつかを重ね合わせることができることが挙げられる（図８を参照）。
【図１】
2019523840.tif 000003
【図２】
2019523840.tif 000004
【図３】
2019523840.tif 000005
【図４】
2019523840.tif 000006
【図５】
2019523840.tif 000007
【図６】
2019523840.tif 000008
【図７】
2019523840.tif 000009
【図８】
2019523840.tif 000010
【国際調査報告】
2019523840.tif 000011
2019523840.tif 000012
2019523840.tif 000013
2019523840.tif 000014